(57)【要約】【課題】酒の燗づけ、冷酒の飲酒において保温、保冷を効率的に行い得る酒器を提供する。【解決手段】酒器は酒器本体１と蓋２とで構成され、酒器本体１は有底底面部３の周辺から立ち上がる周壁部４内に遮断壁部５を設け、有底底面部３と周壁部４と遮断壁部を一体にした二重構造１０・１１で形成され、二重構造上端面部６は開口部７、８の２ヶ所開口していて、開口部７は酒を入れる開口口で、又、盃に注ぐ開口口でもあり、もう一方の開口口８は、水、温水、冷水を入れる所であり、蓋２を施蓋８することで温かく飲酒するときは燗づけ、冷たく飲酒するときは冷蔵庫で冷やすことで、構造体１１の温水・冷水が保温・保冷性能を維持し得る構造となっている。【選択図】　　　図１
2004016686.tif 000002
【特許請求の範囲】
【請求項１】
酒を収容する容器の有底底面部の周辺から立ち上がる周壁部内に遮断壁部を設けた二重構造で形成された焼結焼成容器からなる酒器
【請求項２】
前記容器には二重構造の上端に開口部が２ヶ所設けられた構造を特徴とする請求項１記載の酒器
【請求項３】
前記容器上端部開口部に蓋を着脱自在に設け、注入口及び注ぎ口兼用開口部を設けた構造を特徴とした請求項１、２記載の酒器
【発明の詳細な説明】
【０００１】
【発明の属する技術分野】
本発明は酒器に関するものであり、容器有底の底面部周辺から立ち上がる周壁部内に遮断壁部を設けた二重構造で形成され、容器上端に開口部を２ヶ所設け、開口部２ヶ所の１つは蓋を着脱自存に設け、残りの１つは注入口及び注ぎ口を備えた酒を入れる容器、いわゆる酒器に関する
【０００２】
【従来の技術】
従来の酒器は、有底底面部周辺から立ち上がる周壁部の上端が解放された容器である。
【０００３】
【発明が解決しようとしている課題】
一般に酒席において、酒の燗づけされたものを飲むが、当初は温かく飲めるが時間の経過に於いて、又、容器の酒の減少により冷めてしまう。結果、燗冷ましでせっかくの酒が美味しく飲むことができない。
【０００４】
又、同様に酒を冷蔵庫で冷やして飲むときも、当初は冷たく飲酒できるが時間の経過に伴い、又、容器の酒の減少で冷たさが低下し本来の飲酒目的が達成されない。
【０００５】
本発明は、上記の点に鑑みてなされたもので、燗づけされた酒、又、冷やされた酒が飲酒時間にかかわらず、容器の酒の減少においても当初の状態を維持できる。保温、保冷を効率的に行い得る容器を提供することを目的とするものである。
【０００６】
【課題を解決するための手段】
上記の目的を達成するため、本発明による酒器においては、容器と蓋との組合せの酒器であって、容器は有底の底面部から立ち上がる周壁部内に遮断壁部を設けた二重構造で、二重構造の一つの構造上端は解放された開口部を設け、残りの構造上端にも解放された開口部を設けるが、この開口部は蓋を着脱自存される構造をとる。
【０００７】
本発明酒器は、容器有底の二重構造の上端部に２ヶ所の開口部を有し、上端解放された開口部から酒を開口部下方まで注ぎ、開口部蓋を着脱自存される開口部からは水を蓋挿入脚下方まで注ぎ蓋は開口部を施蓋し燗づけ、又は、冷やすことで保温、保冷性能を維持し得る。
【０００８】
施蓋された酒を燗づけすることは、酒・水共に暖めることであり、飲酒において酒は、酒器上端解放された開口部から、酒器を傾ける動作で盃に注がれ、他方暖められた温水は酒器本体に施蓋されているから流出することはない。
【０００９】
飲酒により酒器内の酒は減少してゆくが、温水には分量変化がなく保温を効果的に行い得ることで温かく飲酒ができる。
【００１０】
同様に冷酒も本発明酒器を使用し、冷水、又は、冷蔵庫で冷やすことで、酒は冷やされ水は冷水となり、冷水が効率的に行いうることで冷たく飲酒ができる。
【００１１】
【発明の実施の形態】本発明の形態を図面に基づいて詳しく説明する。
（実施例１）
図１　Ａは本発明酒器の実施を示した円筒型斜視図であり、Ｂはその断面を示し、Ｃは蓋を示す。又、Ｄは酒器本体上端構造を示す平面図であり、Ｅは上端構造に蓋を着装した平面図である。本願に係わる酒器はその酒器本体１と蓋２で構成される。図２で明らかにするように、酒器本体は底面部３と該底面部の周辺より立ち上がる周壁部４と遮断壁部５で成り、その底面部３と周壁部４と遮断壁部５を一体にした有底の円筒形を呈して、上端側は上面開口部７・８として開口している。一方、蓋２は酒器本体の上端開口部８に蓋２の蓋挿入脚２ａと、この脚部より水平方向に張り出して酒器本体の開口線で支持される顎部９に着脱自存にすることで酒器が完成する。
【００１２】
発明酒器燗づけ飲酒においては、二重構造体１０に酒を上端解放された開口部より開口部下方まで注ぎ、二重構造体１１には、水を開口部蓋を着脱自存される開口部から、蓋挿入脚下方まで注ぎ、蓋２は開口部８を施蓋し燗づけすることで、酒・水は共に温められることになり、飲酒による酒の減少、時間の経過にかかわらず、二重構造体１１の温水は、保温を効果的に行い得るので温かく美味しく飲酒ができる。
【００１３】
発明酒器冷酒飲酒においては、（００１２）同様に二重構造体１０に酒、二重構造体１１に水を所定位置までそれぞれ注ぎ、冷蔵庫、又、冷水で冷やすことで、酒・水が共に冷たくなり、飲酒による減少、時間の経過にかかわらず二重構造体１１の冷水は、保冷を効果的に行い得るので冷たくて、美味しく目的通りの飲酒ができる。
【００１４】
（実施例２）
図２は本発明酒器の実施を示した蒲鉾型を示したＡは斜視図であり、Ｂはその断面を示し、Ｃは蓋で材質は木製である。形態図面説明は実施例１と同じであるので省略する。
【００１５】
（実施例３）
図３は本発明酒器の実施を示した角柱型を示したＡは斜視図であり、Ｂはその断面を示し、Ｃは蓋で材質は木製である。形態図面説明は実施例１と同じであるので省略する。
【００１６】
（実施例４）
図４は本発明酒器の実施を示した三角柱型を示したＡは斜視図であり、Ｂはその断面を示し、２は蓋で材質は木製である。形態図面説明は実施例と同じであるので省略する。
【００１７】
（実施例５）
本発明酒器の形状が正方柱型であってもいい。
【００１８】
（実施例６）
又、酒器形状が不定形であっても容器上端部に開口部と他に蓋を着脱自存に開口部が設けられる構造であればよい。
【００１９】
蓋の材質は、容器同様焼結焼成体、他に木製、金属、プラスチックであってもよい。
【００２０】
上記実施例１発明酒器円筒型による燗づけ飲酒実験を行った。酒器二重構造体１０に酒量１８０ｃｃ、二重構造体１１に水量１８０ｃｃをそれぞれ注ぎ沸騰した鉄製容器へ酒器を入れ、酒、湯温度が摂氏６５℃に到達するまで燗づけを行い飲酒を開始した。つづいて一般の酒器同様に、摂氏６５℃に燗づけ飲酒時間を５０分間に定め、飲酒量は盃容量１８ｃｃを使用して、５分間隔で１０回（１０杯）飲酒した燗づけ温度の測定を行った。ちなみに室内温度摂氏２３℃であった。結果、飲酒適温範囲は上限６０℃、下限３５℃が好適であり、一般酒器は開始時間から３０分で適温範囲外に低下したが、発明酒器は４５分までの適温維持効果が得られた。測定結果を図面５燗づけ酒に示す。
【００２１】
上記（００２０）同様酒器において冷酒飲酒実験を実施した。冷蔵庫に酒器ごと入れ摂氏７℃に致達するまで冷やし、同様に飲酒時間５０分とし、盃容量１８ｃｃで５分間隔の１０回（１０杯）の飲酒で、室内温度摂氏２４℃であった。結果、飲酒適温範囲は下限８℃、上限１８℃が好適であり一般酒器は開始時間から２７分で適温範囲外に上昇したが、発明酒器は４５分までの適温維持効果が得られた。測定結果を図面６冷酒に示す。
【００２２】
【発明の効果】
本発明によれば酒を収容する容器有底の底面部３から立ち上がる周壁部４内に遮断壁部５を設け二重構造とし、二重構造部分の上端部６に開口部７・８を設け、温かく飲酒するとき二重構造体１０に酒、１１に水をそれぞれに入れ燗づけし、冷たく飲酒するときも同様、二重構造体１０・１１にそれぞれ酒・水を入れ冷蔵庫で冷やす。蓋２においては二重構造上端部開口部８に施蓋を行う。飲酒による酒の減少において、燗づけした酒は容器構造体１１内部の温水で保温を効率的に行い得るので、当初の目的どおり温かく美味しく飲酒ができる。冷やされた酒も同様、構造体１１の冷水で低温を効率的に行い得るので、当初の目的どおり冷たく美味しく飲酒ができる。
【００２３】
本発明の酒器に燗づけされた酒を構造体１０に、温水を構造体１１に入れ施蓋８することで、当初の目的どおり美味しく飲酒ができる。
【００２４】
又、同様冷やされた酒を構造体１０に、冷水を１１に入れ施蓋８することで当初の目的どおり冷たく美味しく飲酒ができる。
【００２５】
本発明酒器は酒に限らず構造体１０の上端が解放された構造にすることで、椀となり味噌汁・吸い物・つゆ等の容器に使用することができ、又、コーヒーカップ・ティーカップとしても使用でき、従来とはまったく異なる機能を有する新しい製品として提供することができ、製造も簡単で優れた効果を奏する。
【図面の簡単な説明】
【図１】Ａ　本発明円筒型酒器の斜視図である。
Ｂ　同酒器の断面図である。
Ｃ　同酒器の蓋の断面図である。
Ｄ　同酒器の上端構造の平面図である。
Ｅ　同酒器の蓋を着装した平面図である。
【図２】本発明酒器の実施形態を示す蒲鉾型の斜視図、断面図、平面図及び蓋を着装した平面図である。
【図３】本発明酒器の実施形態を示す角柱型の斜視図、断面図、及び蓋を着装した平面図である。
【図４】本発明酒器の実施形態を示す組合せ三角柱の斜視図、断面図、平面図及び蓋を着装した平面図である。
【図５】上記実施例１の酒器による燗づけ飲酒実験データを示す。
【図６】上記実施例１の酒器による冷酒飲酒実験データを示す。
【符号の説明】
１．　酒器本体
２．　蓋
２ａ．蓋挿入脚
３．　底面部
４．　周壁部
５．　遮断壁部
６．　上端面部
７．　開口部
８．　開口部
９．　顎部
１０．二重構造体
１１．二重構造体
【図１】
2004016686.tif 000003
【図２】
2004016686.tif 000004
【図３】
2004016686.tif 000005
【図４】
2004016686.tif 000006
【図５】
2004016686.tif 000007
【図６】
2004016686.tif 000008